(57)【要約】      （修正有）【課題】下水または廃水のスラッジを流体の圧力を用いて圧縮脱水する流動式スクリュー脱水装置を提供する。【解決手段】本体はスラッジ流入口３１１と、スラッジ排出口３１２と、動力を発生させる駆動部３２と、内部空間を複数空間に分割する分割プレート３４と、上記分割プレート３４を貫通し、上記駆動部３２より回転運動しながら上記スラッジを上記スラッジ流入口３１１から上記スラッジ排出口３１２へ移動させるスクリュー３３と、上記分割プレート３４により分割された空間に固定装着される複数の固定板と、上記固定板の間に介入して上記スクリュー３３とは異なる運動で流動する流動板と、及び上記流動板と連結される連結部と上記流動板の流動動力を提供する動力部を有する圧着ユニット４０と、を含んで構成される。【選択図】図２
2014024054.tif 000002
【特許請求の範囲】
【請求項１】
内部空間でスラッジを凝集攪拌する凝集タンクと、
前記凝集タンクと連結されて凝集された前記スラッジが流入される本体と、
前記凝集タンクと本体の制御のための制御部と、を含んで構成され、
前記本体は、
前記スラッジが流入されるスラッジ流入口と、前記スラッジを外部空間へ排出するための通路を提供するスラッジ排出口とを有するスクリーンと、
前記スクリーンの外部に固定されて動力を発生させる駆動部と、
前記スクリーンの内部空間を複数空間に分割する分割プレートと、
前記分割プレートを貫通し、前記駆動部から提供される動力により回転運動しながら前記スラッジを前記スラッジ流入口から前記スラッジ排出口へ移動させるスクリューと、
前記分割プレートにより分割された空間に固定装着される複数の固定板と、
前記固定板の間に介入して前記スクリューとは異なる運動で流動する流動板と、
前記流動板と連結される連結部と、前記流動板の流動動力を提供する動力部を有する圧着ユニットと、を含んで構成される流動式スクリュー脱水装置。
【請求項２】
前記排出口が形成された前記スクリーンの一側の外面には、移送されたスラッジを圧着するための第２圧着ユニットがさらに装着される請求項１に記載の流動式スクリュー脱水装置。
【請求項３】
前記第２圧着ユニットは、前記スクリーンの外径の外側を形成する仮想の円形に沿って複数個装着される請求項２に記載の流動式スクリュー脱水装置。
【請求項４】
前記連結部は、前記動力部から提供される動力により前記流動板を前記スラッジの移動方向と交差方向に併進運動させる動力を提供する請求項１に記載の流動式スクリュー脱水装置。
【請求項５】
前記制御部は、前記スクリューの運動動力と、前記圧着ユニットの運動動力とをそれぞれ制御する請求項１に記載の流動式スクリュー脱水装置。
【請求項６】
前記スクリーンには、排水された空間を洗浄するための洗浄部がさらに形成される請求項１に記載の流動式スクリュー脱水装置。
【発明の詳細な説明】
【技術分野】
【０００１】
本発明は、流動式スクリュー脱水装置に関するもので、詳しくは、産業設備または家庭から生じる下水または廃水のスラッジを流体の圧力を用いて圧縮脱水する流動式スクリュー脱水装置に関する。
【背景技術】
【０００２】
産業の進展に伴い産業施設は増え続けており、増える産業施設から生じる下水または廃水の量も増加すると共に、人口の増加と生活の質の向上に従い、家庭から生じる汚水または下水の量も増加している実情である。
【０００３】
これにより、産業施設または家庭から生じる下水または廃水などを処理するための施設も徐々に大型化されつつあり、様々な処理工法にて下水または廃水を処理することとなる。
【０００４】
このような下水または廃水などを処理する施設では、複数の段階を通じて下水または廃水などを浄化して川または海に放流したり、各種の用水として再活用することとなる。
【０００５】
このように、産業施設または家庭から生じる汚水または下水及び廃水などが増加する一方であり、これを処理するための処理施設も増加させることが必要とされているのが実情である。
【０００６】
上記処理施設で複数の段階を通じて浄化される汚水または下水及び廃水などは、様々な処理を通じて沈殿物であるスラッジと用水に分離され、用水は別途の過程を通して浄化され、沈殿物のスラッジは埋め込み、海洋投棄、リサイクルまたは焼却などの方法にて処理される。
【０００７】
但し、下水処理場または畜産廃水などの沈殿物であるスラッジのほとんどを処理する方法である海洋投棄が２０１２年から全面禁止となったことで、上記スラッジの処理方法が大事な課題として注目されており、上記スラッジの処理のためのスラッジの含水率を低くするための施設が求められているのが実情である。
【０００８】
以下では、説明の便宜のために、廃水を例として説明し、産業施設などから発生する沈殿物のスラッジを脱水するための脱水装置を例として説明することとする。
【０００９】
一般的に、脱水装置は、凝集剤を使用してフロック状に変形させたスラッジを水と残りかすに分離し、このような脱水過程で使用される装置を脱水装置という。
【００１０】
即ち、上記脱水装置は、廃水から水と分離されるスラッジに含まれている水分を分離してスラッジの含水率を低くし、含水率の低いスラッジはケーキ状に排出されて処理することとなる。
【００１１】
上記脱水装置は、スラッジを脱水する方法によってベルト式、遠心式、及び流動板式に分けられ、ベルト式の脱水装置は、上記スラッジをベルトにより移動させながらベルトに取り囲まれている凝集されたスラッジがローラーを通過することで圧着されてスラッジを脱水させて水分を排出するように構成される。
【００１２】
そして、遠心式脱水装置は、回転体の内部空間にスラッジを投入して高速で回転させることで、スラッジに遠心力を与えてスラッジに含まれた水分を排出し、回転体の内部空間に、含水率の低いケーキ状のスラッジを残すように構成される。
【００１３】
また、流動板式脱水装置は、低速回転する軸の流動運動によりスラッジに含まれた水を重力によって排出し、含水率の低いケーキ状のスラッジは低速回転する軸と結合され、スクリューにより移送されることで排出されるように構成される。
【００１４】
上記流動板式脱水装置は、環境にやさしくて、操作が簡単であるため、中小規模の廃水処理施設に主に使用される脱水装置である。
【００１５】
一方、大韓民国登録特許第１０−０３７２５０１号には、スクリュー式脱水装置に関する発明が開示されており、上記登録特許は自動掃除を良好にさせ、稼動プレート及びその駆動手段の寿命を延長することができ、さらに稼動プレート駆動手段が磨耗した際に、その修理が簡単にできるスクリュー式脱水装置に関する発明が開示される。
【００１６】
上記登録特許には、ケーシングと、分離手段と、スクリューと、稼動プレート駆動手段と、を備え、稼動プレート駆動手段は、連結管とキャムを設置した稼動プレートを均等に揺動するように構成された発明が開示されている。
【先行技術文献】
【特許文献】
【００１７】
【特許文献１】大韓民国登録特許第１０−０３７２５０１号公報
【発明の概要】
【発明が解決しようとする課題】
【００１８】
本発明の目的は、下水または廃水、浄水などを処理する過程で発生するスラッジの濃縮及び脱水を一括処理できる流動式スクリュー脱水装置を提供することである。
【００１９】
本発明の他の目的は、下水または廃水、浄水などを処理する過程で発生するスラッジの濃縮及び脱水処理が連続して可能な流動式スクリュー脱水装置を提供することである。
【課題を解決するための手段】
【００２０】
本発明による流動式スクリュー脱水装置は、内部空間でスラッジを凝集攪拌する凝集タンクと、上記凝集タンクと連結されて凝集された上記スラッジが流入される本体と、上記凝集タンクと本体の制御のための制御部と、を含んで構成され、
上記本体は、上記スラッジが流入されるスラッジ流入口と、上記スラッジを外部空間へ排出するための通路を提供するスラッジ排出口とを有するスクリーンと、上記スクリーンの外部に固定されて動力を発生させる駆動部と、上記スクリーンの内部空間を複数空間に分割する分割プレートと、上記分割プレートを貫通し、上記駆動部から提供される動力により回転運動しながら上記スラッジを上記スラッジ流入口から上記スラッジ排出口へ移動させるスクリューと、上記分割プレートにより分割された空間に固定装着される複数の固定板と、上記固定板の間に介入して上記スクリューとは異なる運動で流動する流動板と、及び上記流動板に連結される連結部と、上記流動板の流動動力を提供する動力部を有する圧着ユニットと、を含んで構成される。
【発明の効果】
【００２１】
本発明による流動式スクリュー脱水装置には、スラッジの一括的な濃縮と脱水、及び連続的駆動のために流体の圧力による上記スラッジの圧着ができるように圧着ユニットが設置される。
【００２２】
上記圧着ユニットにより上記スラッジが移動方向と交差する方向に圧着されながら移動することで、上記スラッジの濃縮と脱水が一括的に処理され、連続駆動ができるように構成されて脱水装置の効率を向上させるという効果を期待することができる。
【００２３】
また、上記圧着ユニットにより上記スラッジの水分を排出するための流動動力と上記スラッジの圧着移動のための移送動力とを別途に制御することで、上記スラッジの濃縮と上記スラッジの脱水のための運転の便宜性及び性能改善の効果を期待することができる。
【００２４】
このように、効率が向上させ、円滑な濃縮と脱水が可能な脱水装置によって最終的に排出されるスラッジの量が減少するという効果を期待することができ、排出されるスラッジの量が減少することで、スラッジの処理による処理場の運営コストが低減するという効果を期待することができる。
【００２５】
そして、脱水装置の効率の向上と上記スラッジの円滑な濃縮及び脱水によって、上記スラッジに含有される水の量が著しく減少する効果を期待でき、このような上記スラッジの含水率の低減により、ケーキ状に排出される上記スラッジの処理が容易であるという効果を期待することができる。
【００２６】
上記スラッジの濃縮と脱水が一括的に処理されることで、脱水装置の稼動による２次公害、即ち、騒音及び振動、悪臭などを最小化するという効果が期待でき、脱水装置の設置空間が最小化する効果が期待できるため、産業施設の空間の活用性が向上する効果を期待することができる。
【００２７】
スラッジの濃縮と脱水が一括的に処理されることで脱水装置の管理が容易であるという効果が期待でき、脱水装置の稼動による保持費用が低減され、エネルギー使用の効率性を向上させるという効果を期待することができる。
【００２８】
さらに、連続的に稼動できるため、汚水または廃水などの処理が円滑であるという効果が期待でき、脱水装置の使用便宜性を向上させるという効果を期待することができる。
【図面の簡単な説明】
【００２９】
【図１】本発明の実施例による流動式スクリュー脱水装置の外形を示した斜視図である。
【図２】本発明の実施例による流動式スクリュー脱水装置の本体構成を示した概略的な断面図である。
【図３】本発明の実施例による流動式スクリュー脱水装置の流動板と固定板の結合構成を示した概略的な斜視図である。
【図４】本発明の実施例による流動式スクリュー脱水装置の圧着ユニットによる流動板と固定板の位置状態を示した概略的な図面である。
【図５】本発明の他の実施例による流動式スクリュー脱水装置の第２圧着ユニットの構成を示した概略的な断面図である。
【発明を実施するための形態】
【００３０】
以下、本発明による流動式スクリュー脱水装置を添付の図面を参照して実施例を挙げて説明する。
【００３１】
但し、本発明の思想は、以下に説明する実施例によりその実施可能状態が制限されるものではなく、本発明の思想を理解する当業者は同一の技術的思想の範囲内に含まれる他の実施例を用いて容易に提案することができ、これらも本発明の技術的思想に含まれることはいうまでもない。
【００３２】
そして、本明細書または請求範囲で使用される用語は、説明の便宜のために選択した概念であって、本発明の技術的な内容を把握するにおいて、本発明の技術的思想に符合する意味として適当に解釈されるべきである。
【００３３】
図１は本発明の実施例による流動式スクリュー脱水装置の外形を示した斜視図であり、図２は本発明の実施例による流動式スクリュー脱水装置の本体構成を示した概略的な断面図である。
【００３４】
また、図３は本発明の実施例による流動式スクリュー脱水装置の流動板と固定板の結合構成を示した概略的な斜視図であり、図４は本発明の実施例による流動式スクリュー脱水装置の圧着ユニットによる流動板と固定板位置状態を示した概略的な図面であり、図５は本発明の実施例による流動式スクリュー脱水装置の第２圧着ユニットを示した概略的な断面図である。
【００３５】
先ず、図１を参照すると、本発明の実施例が適用された流動式スクリュー脱水装置は、内部空間でスラッジを凝集攪拌する凝集タンク１０と、上記凝集タンク１０と連結されて凝集された上記スラッジが流入される本体３０と、及び上記凝集タンク１０と本体３０の制御のための制御部２０と、を含んで構成される。
【００３６】
上記凝集タンク１０の一側には、産業施設または一般家庭などで発生する下水または汚水や、廃水などから分離されたスラッジが流入されて収容されるスラッジサービスタンク（不図示）が位置する。
【００３７】
上記サービスタンクの内部空間では、流入された上記スラッジと無機凝集剤を攪拌しながら１次凝集を行い、上記サービスタンクで１次凝集された上記スラッジは、移送ポンプにより凝集タンク１０へ移送される。
【００３８】
上記凝集タンク１０は、一定程度の内部空間を有するように形成され、その内部空間は少なくとも３つの空間に分けられる。このような３つの空間には、上記サービスタンクから移送された上記スラッジの流量を調整するための流量調整槽（不図示）と、上記流量調整槽を通じて適量の上記スラッジを有機凝集剤などと凝集する急速攪拌槽（不図示）と、上記急速攪拌槽で高分子化合物と混合された上記スラッジを水と分離する緩速攪拌槽（不図示）がそれぞれ形成される。
【００３９】
勿論、上記凝集タンク１０の内部空間に形成される上記流量調整槽と上記急速、緩速攪拌槽は、上記凝集タンク１０の内部空間ではなく、タンクの形態でそれぞれ形成される構成も可能である。
【００４０】
上記凝集タンク１０には、流入された上記スラッジを凝集剤と攪拌するための攪拌動力を提供する攪拌動力部から提供される動力により上記スラッジと高分子化合物を攪拌する攪拌部と上記攪拌部により攪拌された上記スラッジを上記本体３０へ移送させるためのスラッジ分配ノズルとがさらに装着されることもある。
【００４１】
上記凝集タンク１０には、内部空間に流入された上記スラッジの量を感知するための感知、調節手段がさらに装着されることも可能であり、感知した上記スラッジの量によって適した割合の凝集剤を投入して上記凝集タンク１０の内部空間で上記スラッジの凝集をさらに進めることも可能である。
【００４２】
上記凝集タンク１０の内部空間で凝集された上記スラッジは、上記本体３０へ移送され、上記本体３０で濃縮及び脱水過程を経て水と分離されることで、ケーキ状に排出される。
【００４３】
上記本体３０で上記スラッジと分離された水は、処理場に排水されるか、もしくは、上記サービスタンクに移送して再脱水を行い、水に含まれた固形物をさらに除去することができる。
【００４４】
上記本体３０は、一つだけ形成された構成でも良く、上記スラッジの反復的な濃縮及び脱水過程のために複数形成されてもよい。
【００４５】
上記本体３０には、外形を形成するスクリーン３１を有し、上記スクリーン３１の内部空間に、次に説明する固定板３５と流動板３６が交互するように繰り返して設置される。
【００４６】
上記スクリーン３１は、全体的に内部空間を有しながら、略横方向に横たわっている円筒状になっており、上記スクリーン３１の一側端部には、上記スクリーン３１の内部空間に装着されたスクリュー３３（図２を参照）の回転動力を提供する駆動部３２が装着される。
【００４７】
上記スクリーン３１には、上記凝集タンク１０から移送された上記スラッジが、上記本体３０の内部空間に流入される通路を提供するスラッジ流入口３１１と、上記本体３０の内部空間で濃縮及び脱水されたケーキ状の上記スラッジを、上記本体３０の外部空間へ排出する通路を提供するスラッジ排出口３１２とが形成される。
【００４８】
上記スクリーン３１には、水分排出間隙の間に存在する上記スラッジの洗浄のための洗浄ノズルがさらに形成されても良い。即ち、上記スラッジが水分排出間隙の間に堆積した場合、上記洗浄ノズルにて洗浄水を噴射して水分排出のための間隙を確保することで、上記スラッジの固着化を防ぐことができる。
【００４９】
上記スラッジを洗浄することで、水分排出間隙が詰まる現象を防止または予防できるため、水分の排出が円滑になるという長所を有する。勿論、上記洗浄ノズルが形成されなくても構わないが、水分排出間隙の円滑な洗浄のためには形成された構成が好ましい。
【００５０】
図２を参照すると、上記スクリーン３１と上記駆動部３２との間には、背圧板ハウジング６０が位置するように構成される。上記背圧板ハウジング６０は一定程度の内部空間を有する六面体の形態で形成される。
【００５１】
勿論、上記背圧板ハウジング６０は、六面体以外の多面体または円筒状に形成される構成も構わないが、一定程度の内部空間を有するように構成されることは必要である。
【００５２】
そして、上記背圧板ハウジング６０の下面には、上記スクリュー３３の回転運動により移送された上記スラッジがケーキ状に排出される上記スラッジ排出口３１２が形成される。
【００５３】
上記背圧板ハウジング６０の内部空間には背圧板６１が位置する。上記背圧板６１は、一定程度の厚さを有しながら、図面から見た際に、左側面の中央部、すなわち、上記スクリュー３３と隣接した部分は上記スクリュー３３の回転軸の断面積と対応する面積ほど切除されて上記スクリュー３３の回転軸が貫通するように形成される。
【００５４】
また、上記背圧板６１の左側面の中央部、言い換えると、上記スクリュー３３の回転軸が貫通する部分から外側に行くほど厚さが薄くなるように傾斜して形成され、脱水された上記スラッジが上記背圧板６１の傾斜面に沿って排出されるように形成される。
【００５５】
上記背圧板６１の左側面により上記スラッジが案内されることで、上記スラッジは上記背圧板ハウジング６０の内部空間へ移動し、自重により上記背圧板ハウジング６０の下面に形成された上記スラッジ排出口３１２を通じて上記本体３０の外部空間へ排出される。
【００５６】
上記背圧板６１により上記スラッジが案内されることで、上記駆動部３２の内部空間への上記スラッジの流入が防止される。上記駆動部３２の内部空間に上記スラッジの流入が防止されることで、上記駆動部３２の寿命を延長し、破損を予防することができるという長所を有する。
【００５７】
上記背圧板ハウジング６０は、上記スクリーン３１と一体に形成されても良く、上記スクリーン３１に締結部材などにより装着されても良い。
【００５８】
そして、上記スクリーン３１には上記スクリーン３１の内部空間に流入された上記スラッジの移送のための連動動力を提供する圧着ユニット４０が装着される。上記圧着ユニット４０については後述する。
【００５９】
上記スクリーン３１の下側には上記スラッジ排出口３１２からケーキ状に排出された上記スラッジを捕集するための捕集タンクと、上記スラッジの濃縮及び脱水により上記スラッジから分離された水を集水するための集水タンクとがさらに設置されても良い。
【００６０】
勿論、上記捕集タンクと集水タンクの機能を上記スラッジサービスタンクに補助的に付加することで、別途の捕集タンクと集水タンクを省く構成にしてもよい。
【００６１】
上記本体３０の内部構成をみると、上記スクリーン３１の内部空間には、上記駆動部３２と軸結合して上記駆動部３２から提供される回転動力により回転運動するスクリュー３３が設置される。
【００６２】
上記スクリュー３３は、一定程度の直径を有しながら横方向に横たわっている円筒状の外面に、ねじ山状のスクリュー羽３３１を有するように形成される。上記スクリュー羽３３１は、上記スラッジ排出口３１２が位置する方向に行くほど間隔が狭くなるように形成される。
【００６３】
このように、上記スクリュー羽３３１が上記スラッジ排出口３１２の方向に行くほど間隔が狭くなるように形成されると、上記スラッジを濃縮しながら脱水するようになる。すなわち、上記スクリュー羽３３１の間隔と上記スクリュー３３の回転軸によって、上記スラッジが収容される空間が徐々に減って上記スラッジが圧縮されることで、上記スラッジに含まれた水分を排出して上記スラッジの含水率を減少させる。
【００６４】
上記スクリーン３１には、内部空間を複数の空間に分割する分割プレート３４が装着される。上記分割プレート３４は、一定程度の厚さを有する板材状に形成されることで、上記スクリーン３１の内部空間を長さ方向に複数の空間に分割することとなる。
【００６５】
上記分割プレート３４の中央部は、一定程度の面積を有しながら切除されるように形成され、切除された部分を上記スクリュー３３が貫通することとなる。このように、上記分割プレート３４の切除された中央部を上記スクリュー３３が貫通することで、切除された中央部は、実質的に上記スクリュー羽３３１を含んだ上記スクリュー３３の断面の面積より広い面積に切除される。
【００６６】
上記分割プレート３４により分割された上記スクリーン３１の内部空間には、複数の固定板３５と流動板３６とが装着される。上記固定板３５と上記流動板３６については後述する。
【００６７】
上記分割プレート３４により分割された空間には、上記圧着ユニット４０が設置される。上記圧着ユニット４０は、上記流動板３６と連結された連結部４１と上記連結部４１の流動動力を提供する動力部４２とを含んで構成される。
【００６８】
詳しくは、上記圧着ユニット４０は、全体的にシリンダーとピストン状からなり、相対的に上側に位置した部分には、供給された流体の圧力により動力を発生させるシリンダー部分である上記動力部４２が形成され、その下側に上記動力部４２から提供された動力により運動するピストン部分である連結部４１が形成される。
【００６９】
上記連結部４１に上記流動板３６が連結されることで、上記流動板３６は上記動力部４２から提供される動力により流動することとなる。上記流動板３６の流動により水分排出のための空隙が確保され、上記スクリュー３３の回転運動で移送された上記スラッジの円滑な移送が可能となる。
【００７０】
上記圧着ユニット４０によって上記流動板３６が流動すると、上記流動板３６は上記スラッジの移送方向と交差方向に併進運動する。図面を参照すると、上記スラッジは、上記スクリュー３３の回転運動により上記スラッジ流入口３１１から上記スラッジ排出口３１２の方向、即ち、右側から左側の方向に移動する。
【００７１】
上記スクリュー３３が回転運動すると、上記スラッジは、上記スクリュー３３の長さ方向の右側から左側に移動し、この際、上記流動板３６は、上記スラッジの移動方向と交差方向に流動する。即ち、上記流動板３６は、上下方向に流動しながら上記スラッジの移動方向と交差方向に流動する。
【００７２】
また、上記スクリュー３３は、回転運動により上記スラッジを移送させながら濃縮及び脱水する機能を行い、上記圧着ユニット４０は、上下方向の併進運動により上記スラッジを圧着する機能を行う。
【００７３】
従って、実質的に上記スクリュー３３は回転運動により流動し、上記流動板３６は併進運動により流動する。
【００７４】
上記圧着ユニット４０は、上記分割プレート３４により分割された各空間にそれぞれ一つずつ設置されてもよく、一つの分割空間に複数個設置されてもよい。
【００７５】
一方、上記スラッジ排出口３１２が形成された上記スクリーン３１の一部分には、移送された上記スラッジの圧着のための第２圧着ユニット５０が設置される。 上記第２圧着ユニット５０は、上記スクリュー３３の回転運動により移送された上記スラッジを高圧で追加圧着する機能を行う。
【００７６】
上記第２圧着ユニット５０は、上記スクリュー羽３３１の回転範囲の外側に形成される仮想の円形に沿って一つ装着されるか、もしくは、複数個装着されてもよい。
【００７７】
上記第２圧着ユニット５０は、全体的にシリンダー状からなる第２動力部５１と、全体的にピストン状をなす運動部５２とを含んで構成される。
【００７８】
上記第２動力部５１は、上記圧着ユニット４０に形成された上記動力部４２で使用される流体と同じ流体を使用する構成も可能で、異なる種類の流体を使用する構成も可能である。
【００７９】
上記運動部５２は上記第２動力部５１から提供された動力により併進運動するとともに、上記スクリュー３３の上記駆動部３２から提供された動力により回転運動しながら、上記スクリュー３３により移送された上記スラッジを圧着して含水率を低くし、上記スラッジの移送を円滑にする機能を行う。
【００８０】
以下では、図３及び図４を参照して上記固定板３５と上記流動板３６ 及び上記圧着ユニット４０の構成を説明する。
【００８１】
上記固定板３５は、全体的に一定程度の厚さを有しながら中央部が切除されたリング（ｒｉｎｇ）状に形成され、上段部と下段部の両側に形成される固定部３５１が、上記スクリーン３１の内部空間に設置された固定バー３１３に固定されることで上記スクリーン３１の内部空間に装着される。
【００８２】
上記固定部３５１は、上記固定板３５と一体に形成されて外側方向に延長されるように形成され、上記固定部３５１には一定程度の直径を有するホールが形成され、上記固定部３５１に形成された上記ホールに上記固定バー３１３が貫通し、上記固定部３５１が上記スクリーン３１の内部空間に固定装着される。
【００８３】
上記固定バー３１３は、一定程度の直径を有しながら横方向に横たわっている円筒状からなり、両端部が上記スクリーン３１の内面の両側面にそれぞれ結合して固定される。
【００８４】
上記固定バー３１３は、上記固定板３５に形成された上記固定部３５１の数と対応する数量で上記スクリーン３１の内部空間に上記スクリーン３１の長さ方向に長く位置するとともに、両端部が上記スクリーン３１に固定される。
【００８５】
上記固定板３５は、上記固定バー３１３に嵌められて複数装着され、上記固定板３５と固定板３５の間には、一定程度の間隔を維持するためのスペーサー３７が介入する。上記スペーサー３７は、その厚さだけ上記固定板３５と固定板３５の間の間隔を保持するために装着される。
【００８６】
そして、上記固定板３５と上記固定板３５の間には、上記流動板３６が介入するように装着される。上記流動板３６は、全体的に一定程度の厚さを有しながら中央部が切除された円形のリング（ｒｉｎｇ）状に形成される。
【００８７】
上記流動板３６は、上半部の両側に形成される流動部３６１が、上記スクリーン３１の内部空間に設置される流動バー３１４に固定することで上記スクリーン３１の内部空間に装着される。
【００８８】
上記流動部３６１は、上記流動板３６と一体に形成されることで外側方向に延長するように形成され、その中心部には一定程度の直径を有するホールが形成される。上記ホールに上記流動バー３１４が貫通して上記流動板３６は上記スクリーン３１の内部空間に装着される。
【００８９】
上記流動バー３１４は、一定程度の直径を有しながら横方向に横たわっている円筒状からなり、両端部分は上記スクリーン３１の内面の両側面にそれぞれ結合固定される。
【００９０】
この際、上記流動バー３１４は、上記スラッジの移送方向と交差する方向に運動できるように装着され、上記圧着ユニット４０の動力により上記流動板３６が上記スラッジの移送方向と交差する方向に運動できるように構成される。
【００９１】
即ち、上記流動バー３１４は、上記流動部３６１の数と対応する数量及び対応する断面で形成されることで、上記スクリーン３１の内部空間に上記スクリーン３１の長さ方向に長く位置し、両端部が上記スクリーン３１に流動可能に固定される。
【００９２】
上記固定板３５と上記流動板３６の中央部に形成された切除面積は、上記スクリュー３３の外径より多少大きく形成され、上記スクリュー３３が回転運動する時に上記スクリュー羽３３１の外面と上記固定板３５、または上記流動板３６が互いに接しないように構成される。
【００９３】
また、上記固定板３５と上記流動板３６の中央部を上記スクリュー３３が貫通するように構成されることで、上記スクリュー３３の回転運動により上記スラッジが移送される際に、上記スラッジが上記固定板３５と上記流動板３６により一定程度圧着して脱水する効果も有する。
【００９４】
詳しくは、上記スラッジは、上記固定板３５と上記流動板３６の中央部分の内面と上記スクリュー３３の外面との間の空間に移送される。この際、上記スラッジは、上記固定板３５と上記流動板３６の中央部の内面と上記スクリュー３３の外面の間の狭い空間を通じて移動し、一定程度の圧着が加わって上記スラッジの脱水が一定程度進むように構成される。
【００９５】
上記流動板３６の上半部の両側には、上記圧着ユニット４０と結合して動力が伝達される流動部３６１が形成される。上記流動部３６１に上記圧着ユニット４０の連結部が連結されることで、上記流動板３６は上記圧着ユニット４０から伝達された動力により併進運動し、上記スラッジの移動方向と交差する方向に運動することとなる。
【００９６】
上記圧着ユニット４０は、上記スクリーン３１の外面に結合して固定されるか、上記スクリーン３１の外面に形成されたシリンダー支持台（図２の３１５）に結合して支持されるように装着される。
【００９７】
上記圧着ユニット４０は、供給された流体の圧力により動力を発生させる動力部４２と、上記流動板３６と連結された連結部４１とを含んで構成される。上記動力部４２は空圧または油圧により動力を発生させ、このような動力により上記連結部４１は上記動力部４２に対して直線方向に併進運動することとなる。
【００９８】
このように、上記圧着ユニット４０は、上記スクリュー３３の回転運動とは異なる運動である併進運動により、上記スラッジの移動方向と交差する方向に運動することで、上記スラッジに一定程度の圧着を加えることとなる。
【００９９】
上記圧着ユニット４０が上記スラッジの移動方向と交差方向に運動して一定程度の圧着を加えることで、上記スラッジの移送を円滑にし、上記スラッジの効率的な濃縮と脱水が可能であるという長所を有する。
【０１００】
また、上記圧着ユニット４０は、上記スクリュー３３とは別途に制御されることで、上記スクリュー３３の回転運動とは関係なく運動速度を制御することが可能となり、移動する上記スラッジの量と状態、または上記スクリュー３３の大きさなどによって最も適した運動速度で制御できるという長所を有することとなる。
【０１０１】
言い換えると、上記圧着ユニット４０と上記スクリュー３３はそれぞれ制御され、上記スクリュー３３の回転速度とは別途に上記圧着ユニット４０の運動速度を制御するように構成される。
【０１０２】
上記圧着ユニット４０と上記スクリュー３３がそれぞれ制御されることで、実質的に上記圧着ユニット４０は上記スクリュー３３の回転運動速度とは関係なく併進運動速度を有するように制御されるように構成される。
【０１０３】
これによって、上記スクリュー３３の回転運動により移動する上記スラッジの状態や上記スラッジの量などに最も適した速度で上記圧着ユニット４０の運動速度を選択的に制御できるという長所を有する。
【０１０４】
上記連結部４１の併進運動により上記連結部４１と連結された上記流動板３６が併進運動することとなる。上記流動板３６が上記スラッジの状態または量によって最も適した運動速度で併進運動することで、上記スラッジの移送を最も円滑に保持することができる。
【０１０５】
上記流動板３６の併進運動により上記スラッジの移送が最も円滑な状態に保たれることで、上記スラッジの濃縮と脱水を一括的、かつ、連続的に進めることが可能となる。
【０１０６】
図５を参照すると、上記スクリーン３１の一側端部には上記スラッジを濃縮するために圧着する第２圧着ユニット５０が装着されることもある。上記第２圧着ユニット５０は、上記スクリーン３１の下半部には位置しないように装着される構成が好ましい。
【０１０７】
これは、上記第２圧着ユニット５０の圧着により上記スラッジが圧着されると、上記スラッジに含有された水分が分離され、分離された水分を上記スクリーン３１の外部空間へ排出するための排水空間を備えるためである。
【０１０８】
勿論、上記排水空間が上記スクリーン３１の一側に形成される構成も可能ではあるが、上記分割プレート３４により分割されたそれぞれの分割空間に形成される構成が効率的な排水が可能であるため、上記第２圧着ユニット５０は上記スクリーン３１の下半部の部分には位置しないように装着する構成が好ましい。
【０１０９】
上記第２圧着ユニット５０により上記スクリーン３１の一側端部へ移動した上記スラッジが圧着されることで、上記スラッジの濃縮が進行する。上記第２圧着ユニット５０は図５からみたとき、上記固定板３５の上半部の左側と右側にそれぞれ設置される。
【０１１０】
そして、上記第２圧着ユニット５０は、相対的に上側に位置するシリンダー状の第２動力部５１と、相対的に下側に位置して上記第２動力部５１から提供された動力により併進運動する運動部５２とを含んで形成される。
【０１１１】
上記第２動力部５１は上記圧着ユニット４０の上記動力部４２に提供される流体と同じ流体を使用するか、異なる流体を使用する構成も可能である。但し、上記動力部４２と同じ流体を使用する構成がより好ましい。
【０１１２】
また、上記運動部５２は上記第２動力部５１から提供された動力により上記スラッジを圧着する。この際、上記運動部５２の下段部は上記固定板３５の外面の外側まで接近して上記スラッジを圧着することとなる。
【０１１３】
詳しくは、上記運動部５２の運動範囲は、上記固定板３５の外面の外側までであり、これは上記運動部５２が運動しながら上記固定板３５の外面と接して発生し得る上記固定板３５または上記運動部５２の破損などを予防するためである。
【０１１４】
前述したような本発明の説明は、本発明の技術的思想を例示的に説明したものであって、本発明が属する技術分野において通常の知識を有するものであれば、本発明の本質的な特性から外れない範囲で、様々な修正及び変形が可能である。
【産業上の利用可能性】
【０１１５】
本発明による流動式スクリュー脱水装置は、下水または廃水などの処理過程で発生するスラッジの濃縮及び脱水を一括処理することができ、スラッジの濃縮及び脱水処理が連続的にできるように構成される。
【０１１６】
このような圧縮脱水装置によってスラッジによる環境汚染が予防でき、スラッジの量が減少するという利点を有することとなる。また、スラッジを処理するためのコストが低減するという長所を有する。
【０１１７】
このような多くの利点により、本発明による流動式スクリュー脱水装置は、産業施設の生産産業だけでなく、これに関連する様々な産業にその利用可能性が大きいと言える。
【符号の説明】
【０１１８】
１０  凝集タンク、２０  制御部、３０  本体、３１  スクリーン、３１１  スラッジ流入口、３１２  スラッジ排出口、３１３  固定バー、３１４  流動バー、３１５  シリンダー支持台、３２  駆動部、３３  スクリュー、３４  分割プレート、３５  固定板、３６  流動板、３７  スペーサー、４０  圧着ユニット、４１  連結部、４２  動力部、５０  第２圧着ユニット、５１  第２動力部、５２  運動部、６０  背圧板ハウジング、６１  背圧板
【図１】
2014024054.tif 000003
【図２】
2014024054.tif 000004
【図３】
2014024054.tif 000005
【図４】
2014024054.tif 000006
【図５】
2014024054.tif 000007